(57)【特許請求の範囲】
【請求項１】
吊り掛け部を有する景品類を引っ掛ける保持部に対して、所定の関係を有するスライド部の前後一定距離の往復運動により前記吊り掛け部を前記保持部の先端部側に払い出す景品類の払い出し装置において、
前記保持部は、前記吊り掛け部が移動する稜線であって、傾斜上り部および傾斜下り部を交互に配列し前記先端部が前記傾斜下り部で終わる稜線部を有し、
前記スライド部には、前記保持部に有する稜線部と同一形状の稜線部を形成し、
前記所定の関係とは、前記保持部または前記スライド部のどちらか一方に形成するガイド穴に対して、他方に形成するガイドピンが前記ガイド穴に挿通し、かつ、前記ガイド穴の形状に沿って相対移動可能であり、さらに、前記往復運動の後方限界位置で、前記スライド部に形成する稜線が前記保持部に形成する稜線に対して鉛直方向下方に位置し、前記往復運動の前方限界位置で前記スライド部の稜線が前記保持部の稜線に対して鉛直方向上方に位置する関係である事を特徴とする景品類の払い出し装置。
【発明の詳細な説明】
【０００１】
【産業上の利用分野】
本発明は、規定条件を達成したゲームプレイヤーに景品を払い出す装置に関するものである。
【０００２】
【従来の技術】
ゲームセンター等に設置されているゲーム機の中でも規定条件を達成する事により景品が払い出されるタイプのゲーム機は、最近非常に人気がある。そして、様々な前記タイプのゲーム機が開発され、かかるゲーム機のタイプに応じた景品搬送、払出し装置が同じく開発されている。
【０００３】
例えば、登録実用新案第３０２０８９４号公報に開示された考案は、内周に歯を形成し、外周には景品を掛ける爪を形成したベルトをステーで支え、さらに前記ベルトに形成する歯と噛み合う歯を持つベルト駆動歯車を回転する事により景品を搬送するものである。
【０００４】
【発明が解決しようとする課題】
しかし、従来例として示した景品搬送装置では、ベルトの幅が狭いとねじれ等が発生し、送りが不確実となり、逆にベルトの幅を広げるとキ−ホルダー等の吊り掛け部が入らない物があり、取付けられる景品の制約がある等の問題点を有していた。
【０００５】
本願発明は以上の問題点を解決する為になされたもので、装置の構成部品を少なくし、かつ単純にする事により故障の発生を減少し、さらに小型化、ローコスト化を可能とする。また、景品の移動量が分かり易い構造として、景品の移動量の制御を容易にする事を目的とする。
【０００６】
【課題を解決するための手段】
本願発明は前記課題を解決するため、以下のような構成とした。つまり、吊り掛け部を有する景品類を引っ掛ける保持部に対して、所定の関係を有するスライド部の前後一定距離の往復運動により前記吊り掛け部を前記保持部の先端部側に払い出す景品類の払い出し装置において、前記保持部は、前記吊り掛け部が移動する稜線であって、傾斜上り部および傾斜下り部を交互に配列し前記先端部が前記傾斜下り部で終わる稜線部を有し、前記スライド部には、前記保持部に有する稜線部と同一形状の稜線部を形成し、前記所定の関係とは、前記保持部または前記スライド部のどちらか一方に形成するガイド穴に対して、他方に形成するガイドピンが前記ガイド穴に挿通し、かつ、前記ガイド穴の形状に沿って相対移動可能であり、さらに、前記往復運動の後方限界位置で、前記スライド部に形成する稜線が前記保持部に形成する稜線に対して鉛直方向下方に位置し、前記往復運動の前方限界位置で前記スライド部の稜線が前記保持部の稜線に対して鉛直方向上方に位置する関係である事を特徴とした。
【０００７】
【発明の実施の形態】
本発明の実施の形態を図面に基づいて説明する。図１はスライド部Ｘが後方限界位置にある全体概略図、図２はスライド部が前方限界位置にある全体概略図、図３はスライド部Ｘに形成する稜線部５の概略図であって、（ａ）は後方限界位置にある場合、（ｂ）は前方限界位置に来た場合、（ｃ）は再び後方限界位置に戻った場合である。
【０００８】
本実施の形態にて吊り掛け部を有する景品類の払い出し装置について説明する。本実施の形態における前記払い出し装置は、景品類の吊り掛け部Ｒを引っ掛ける保持部Ｗと、保持部Ｗに関係して位置し、さらに、前後一定距離を往復運動するスライド部Ｘからなる。
【０００９】
まず、保持部Ｗについて説明する。図１に示す如く保持部Ｗは、保持部Ｗを柱部材８等に固定する基端部２と、保持部Ｗの先端側に位置する先端部３と、基端部２と先端部３とを結ぶ本体とからなる。さらに、前記本体は吊り掛け部Ｒがスライド移動する稜線部１からなる。そして稜線部１は、基端部２から先端部３に向けて負の傾斜角を有する傾斜下り部１ａと正の傾斜角を有する傾斜上り部１ｂとを交互に配列してなり、さらに傾斜下り部１ａから傾斜上り部１ｂに連なる谷の位置に吊りかけ部を引っ掛ける（図３（ａ）参照）。ちなみに前記傾斜角の正負は、鉛直方向上方を正とする。さらに、本実施の形態において保持部Ｗの本体にガイド穴４を形成する。尚、ガイド穴４については後述する。
【００１０】
続いてスライド部Ｘについて説明する。本実施の形態においてスライド部Ｘは、保持部Ｗに形成する稜線部１と同一形状の稜線部５を有する二枚の板状体６がガイドピン７を介して連結した状態で構成され、前後に往復運動する。さらに、二枚の板状体６は、稜線部５を鉛直方向上方に向けて保持部Ｗを挟んだ状態で平行に位置する。また、二枚の板状体６を連結するガイドピン７が、ガイド穴４に挿通して位置する。
【００１１】
次に、保持部Ｗとスライド部Ｘとの所定の関係について説明する。本実施の形態においてガイド穴４は、基端部２から先端部３にかけて鉛直方向に正の勾配を有する斜めの長穴状に形成する。スライド部Ｘに形成するガイドピン７が、ガイド穴４に挿通して引っ掛かった状態となり、さらにガイド穴４の形状に沿って移動可能となる。スライド部Ｘの二枚の板状体６がガイドピン７によって連結しているため、スライド部Ｘの前後一定距離の往復運動は、ガイドピン７を介してガイド穴４の形状に案内される。本実施の形態における前記所定の関係とは、ガイド穴４の形状によってスライド部Ｘの往復運動方向等が決まる前述した関係をいう。
【００１２】
前記一定距離とは、本実施の形態において水平距離（Ｂ’，Ｂ）以上であり、水平距離（Ａ，Ａ）と水平距離（Ｂ’，Ｂ）とを合わせた距離以下である。尚、ＡおよびＢは保持部Ｗに形成する稜線部１の谷の位置および山の位置、Ａ’およびＢ’はスライド部Ｘに形成する稜線部５の谷の位置および山の位置である。さらに、水平距離（Ａ，Ａ）は隣合う谷同士の水平距離であり、水平距離（Ｂ’，Ｂ）はスライド部Ｘの山の位置Ｂ’から景品を払い出す方向に向かって最も近い位置にある保持部Ｗの山の位置Ｂまでの水平距離を示す（図３（ａ）参照）。
【００１３】
さらに、スライド部Ｘは前記所定の関係により後方限界位置で、図３（ａ）の如くスライド部Ｘの稜線部５（図中の実線）が保持部Ｗの稜線部１（図中の二点鎖線）に対して鉛直方向下方に位置し、前方限界位置で、図３（ｂ）の如くスライド部Ｘの稜線部５（図中の実線）が保持部Ｗの稜線部１（図中の二点鎖線）に対して鉛直方向上方に位置する。尚、ガイドピン７がガイド穴４の最も基端部２側に来る位置を後方限界位置といい、最も先端部３側に移動した位置を前方限界位置という。
【００１４】
尚、本実施の形態において、保持部Ｗにガイド穴４を形成し、スライド部Ｘにガイドピン７を形成した場合について説明したが、ガイド穴４をスライド部Ｘに形成しガイドピン７を保持部Ｗに形成する事もできる。
【００１５】
また前記一定の距離は、後方限界位置における保持部Ｗに対するスライド部Ｘの位置や稜線の形状等によって異なる。したがって、稜線の形状等が異なった場合には、スライド部Ｘが後方限界位置から前方限界位置に移動する間に、送り傾斜部５ａが保持部Ｗの谷の位置Ａを通り、かつ、傾斜上り部１ｂに沿って山の位置Ｂまで吊り掛け部Ｒを送る事が可能な距離であれば良い。
【００１６】
以上の構成による本願発明の作用、および景品類の移動を図１、図２、及び図３に基いて説明する。本実施の形態にて説明する構成により、スライド部Ｘの一往復運動によって景品類の吊り掛け部Ｒは、先端側に水平距離（Ａ，Ａ）移動する。
【００１７】
ゲーム機のプレイヤーが規定の条件を達成した場合、制御部（図示しない）を介して駆動部（図示しない）にスライド部Ｘの往復運動数に関する信号が送られ、駆動部がスライド部Ｘに前後一定距離の往復運動を伝える。
【００１８】
通常スライド部Ｘは後方限界位置で止まっており、吊り掛け部Ｒは保持部の谷の位置に等間隔を空けて引っ掛かっている。前記制御部からの信号を受けると、前記駆動部を介してスライド部Ｘは前方に往路の運動を開始する。スライド部Ｘはガイドピン７を介してガイド穴４に案内されて払い出し方向斜め上方に移動する。移動の途中で、スライド部Ｘに形成する稜線部５の内、傾斜下り部１ａと同一形状の稜線部分（以下送り傾斜部５ａという）が、谷の位置にある吊り掛け部Ｒを傾斜上り部１ｂに沿ってスライド上昇させ搬送する。
【００１９】
前記移動による送り傾斜部５ａの位置が、保持部Ｗの稜線部１より上方に来た時に吊り掛け部Ｒは保持部Ｗから独立し、スライド部の谷の位置Ａ’に移る（図３（ｂ）参照）。この位置でスライド部Ｘの往路の移動は終了する。続いて、スライド部Ｘは復路の移動を開始し、スライド部Ｘの谷の位置Ａ’が保持部Ｗの傾斜下り部１ａと接する。この位置で吊り掛け部Ｒは、再び保持部Ｗの干渉を受ける。さらにスライド部の稜線部５が、保持部Ｗの稜線部１より下方の位置に来ると、吊り掛け部Ｒはスライド部Ｘの干渉を離れ、保持部Ｗの谷の位置Ａに落ち付く。この移動により吊り掛け部Ｒは、水平距離（Ａ，Ａ）移動する事になる。（図３（ｃ）参照）
【００２０】
また、先端部３に最も近い谷の位置Ａに引っ掛かる吊り掛け部Ｒは、前述した作用と同様の作用により傾斜上り部１ｂを持ち上げられ先端部３から払い出される。さらに、本実施の形態によれば吊り掛け部Ｒを引っ掛ける谷の位置Ａの選択により景品間の間隔をとる事も可能であり、その場合にはスライド部Ｘの往復運動数を制御する事により移動距離を調節できる。また、本願発明にかかる景品類の払い出し装置を複数設置し、ゲームプレイヤーが選択により払い出す景品を決めるよう構成する事も可能である。
【００２１】
【発明の効果】
本発明にかかる装置は以上のように構成したので、以下のような効果を奏する。
▲１▼構成部品が少なく単純な構造である為、小型化が可能で生産コストを低く抑える事が出来る。
▲２▼景品を移動する為の構造が分かりやすい為、制御が簡単であり、さらに、移動量の調節が容易である。
▲３▼ベルトの回転による搬送や払い出しを行う構成では無い為、ベルトのねじれ等による故障が無い。
▲４▼景品のタイプは吊り下げできるものであれば、リングタイプ、ひもタイプ、ボールチェーンタイプ等何でも使用できる。
【図面の簡単な説明】
【図１】スライド部が後方限界位置にある全体概略図
【図２】スライド部が前方限界位置にある全体概略図
【図３】スライド部Ｘに形成する稜線部５の概略図であって、（ａ）は後方限界位置にある場合、（ｂ）は前方限界位置に来た場合、（ｃ）は再び後方限界位置に戻った場合。
【符号の説明】
Ｒ：景品類の吊り掛け部
Ｗ：保持部
１：稜線部（保持部）
１ａ：傾斜下り部
１ｂ：傾斜上り部
２：基端部
３：先端部
４：ガイド穴
Ｘ：スライド部
５：稜線部（スライド部）
５ａ：送り傾斜部
６：板状体
７：ガイドピン
８：柱部材
９：穴部
Ａ  ：保持部の谷の位置
Ｂ  ：保持部の山の位置
Ａ’：スライド部の谷の位置
Ｂ’：スライド部の山の位置
【図１】
0003709041.tif 000002
【図２】
0003709041.tif 000003
【図３】
0003709041.tif 000004